(57)【要約】  【課題】  発生する内部同期信号を外部同期信号に同期させるための時間を従来の同期信号発生装置および映像信号処理装置に対して短縮することができる同期信号発生装置および映像信号処理装置を提供する。  【解決手段】  クロック信号から内部同期信号を生成する内部同期信号生成手段４と、入力された外部同期信号と内部同期信号との位相差を表す位相差信号を生成する位相差信号生成手段５と、位相差信号に応じた周波数のクロック信号を生成する発振器６と、外部同期信号に基づいて内部同期信号生成手段４を初期化する初期化手段７とを備える。【選択図】  図１
2005217638.tif 000002
【特許請求の範囲】
【請求項１】
クロック信号から内部同期信号を生成する内部同期信号生成手段と、
入力された外部同期信号と前記内部同期信号との位相差を表す位相差信号を生成する位相差信号生成手段と、
前記位相差信号に応じた周波数の前記クロック信号を生成する発振器と、
前記外部同期信号に基づいて前記内部同期信号生成手段を初期化する初期化手段とを備えたことを特徴とする同期信号発生装置。
【請求項２】
前記初期化手段は、前記外部同期信号に基づいて前記位相差信号生成手段を初期化するようにしたことを特徴とする請求項１に記載の同期信号発生装置。
【請求項３】
クロック信号から内部同期信号を生成する内部同期信号生成手段と、
入力された外部同期信号と前記内部同期信号との位相差を表す位相差信号を生成する位相差信号生成手段と、
前記位相差信号に応じた周波数の前記クロック信号を生成する発振器と、
前記外部同期信号に基づいて前記位相差信号生成手段を初期化する初期化手段とを備えたことを特徴とする同期信号発生装置。
【請求項４】
前記内部同期信号の位相を変位させる位相変位手段を備えたことを特徴とする請求項１乃至請求項３の何れかに記載の同期信号発生装置。
【請求項５】
前記初期化手段による初期化は、前記外部同期信号と前記内部同期信号との位相差が予め定められた誤差範囲より大きくなった場合に行われるようにしたことを特徴とする請求項１乃至請求項４の何れかに記載の同期信号発生装置。
【請求項６】
前記誤差範囲が設定される誤差範囲設定手段を備えたことを特徴とする請求項５に記載の同期信号発生装置。
【請求項７】
入力された複数の入力信号から１つの入力信号を選択する入力信号選択手段と、
選択された入力信号から前記外部同期信号を分離する外部同期信号分離手段とを備えたことを特徴とする請求項１乃至請求項６の何れかに記載の同期信号発生装置。
【請求項８】
前記位相差信号生成手段は、前記外部同期信号の入力がないときであっても、前記内部同期信号生成手段が作動するよう前記位相差信号を生成するようにしたことを特徴とする請求項１乃至請求項７の何れかに記載の同期信号発生装置。
【請求項９】
前記初期化手段を作動させるか否かが選択される初期化作動選択手段を備えたことを特徴とする請求項１乃至請求項８の何れかに記載の同期信号発生装置。
【請求項１０】
前記入力信号選択手段で入力された信号に基づいて、前記初期化手段を作動させるか否かを選択することを特徴とする請求項７乃至請求項９の何れかに記載の同期信号発生装置。
【請求項１１】
前記発振器は、電圧制御水晶発振器を有することを特徴とする請求項１乃至請求項１０の何れかに記載の同期信号発生装置。
【請求項１２】
前記初期化手段によって前記内部同期信号生成手段が初期化された場合には、前記内部同期信号生成手段による内部同期信号の生成は、前記内部同期信号の位相が前記外部同期信号の位相に対して予め定められた時間遅れるように行われることを特徴とする請求項１乃至請求項１１の何れかに記載の同期信号発生装置。
【請求項１３】
請求項１乃至請求項１２の何れかに記載の同期信号発生装置を備え、前記同期信号発生装置に入力される外部同期信号と前記同期信号発生装置によって発生された内部同期信号とを映像信号の水平同期信号としたことを特徴とする映像信号処理装置。
【請求項１４】
請求項１３に記載の映像信号処理装置を備えたことを特徴とする車両。
【請求項１５】
クロック信号から内部同期信号を生成する内部同期信号生成手段と、
入力された外部同期信号と前記内部同期信号との位相差を表す位相差信号を生成する位相差信号生成手段と、
前記位相差信号に応じた周波数の前記クロック信号を生成する発振器とを備えた同期信号発生装置において、
前記外部同期信号に基づいて前記内部同期信号生成手段を初期化することを特徴とする同期信号発生方法。
【請求項１６】
前記外部同期信号に基づいて前記位相差信号生成手段を初期化することを特徴とする請求項１５に記載の同期信号発生方法。
【請求項１７】
クロック信号から内部同期信号を生成する内部同期信号生成手段と、
入力された外部同期信号と前記内部同期信号との位相差を表す位相差信号を生成する位相差信号生成手段と、
前記位相差信号に応じた周波数の前記クロック信号を生成する発振器とを備えた同期信号発生装置において、
前記外部同期信号に基づいて前記位相差信号生成手段を初期化することを特徴とする同期信号発生方法。
【発明の詳細な説明】
【技術分野】
【０００１】
本発明は、同期信号発生装置および映像信号処理装置に関し、例えば、外部から入力された信号に同期させた信号を発生する同期信号発生装置および映像信号処理装置に関するものである。
【背景技術】
【０００２】
従来の同期信号発生装置および映像信号処理装置は、図３に示すように、クロック信号から内部同期信号を生成する内部同期信号生成手段５０と、入力された外部同期信号と内部同期信号との位相差を表す位相差信号を生成する位相差信号生成手段５１と、位相差信号に応じた周波数のクロック信号を生成する発振器５２とを備え、外部から入力された映像信号から得られた外部同期信号に同期させた内部同期信号を発生するものがある（例えば特許文献１参照）。
【特許文献１】特開昭５５−９５４６７号公報
【発明の開示】
【発明が解決しようとする課題】
【０００３】
しかしながら、従来の同期信号発生装置および映像信号処理装置においては、発生する内部同期信号を外部同期信号に同期させるための時間がかかるといった問題があった。
【０００４】
本発明は、従来の問題を解決するためになされたもので、発生する内部同期信号を外部同期信号に同期させるための時間を従来の同期信号発生装置および映像信号処理装置に対して短縮することができる同期信号発生装置および映像信号処理装置を提供することを目的とする。
【課題を解決するための手段】
【０００５】
本発明の同期信号発生装置は、クロック信号から内部同期信号を生成する内部同期信号生成手段と、入力された外部同期信号と内部同期信号との位相差を表す位相差信号を生成する位相差信号生成手段と、位相差信号に応じた周波数のクロック信号を生成する発振器と、外部同期信号に基づいて内部同期信号生成手段を初期化する初期化手段とを備えた構成を有している。
【０００６】
この構成により、内部同期信号を生成する内部同期信号生成手段を外部同期信号に基づいて初期化することによって内部同期信号の位相を外部同期信号の位相に瞬時に合わせることができるため、発生する内部同期信号を外部同期信号に同期させるための時間を従来の同期信号発生装置に対して短縮することができる。
【０００７】
また、本発明の同期信号発生装置は、前記初期化手段は、前記外部同期信号に基づいて前記位相差信号生成手段を初期化するようにした構成を有している。
【０００８】
この構成により、内部同期信号を生成する内部同期信号生成手段と位相差信号を生成する位相差信号生成手段とを外部同期信号に基づいて初期化することによって内部同期信号の位相を外部同期信号の位相に瞬時に合わせることができるため、発生する内部同期信号を外部同期信号に同期させるための時間を従来の同期信号発生装置に対して短縮することができる。
【０００９】
また、本発明の同期信号発生装置は、クロック信号から内部同期信号を生成する内部同期信号生成手段と、入力された外部同期信号と前記内部同期信号との位相差を表す位相差信号を生成する位相差信号生成手段と、前記位相差信号に応じた周波数の前記クロック信号を生成する発振器と、前記外部同期信号に基づいて前記位相差信号生成手段を初期化する初期化手段とを備えた構成を有している。
【００１０】
この構成により、位相差信号を生成する位相差信号生成手段を外部同期信号に基づいて初期化するため、発生する内部同期信号を外部同期信号に同期させるための時間を従来の同期信号発生装置に対して短縮することができる。
【００１１】
また、本発明の同期信号発生装置は、前記内部同期信号の位相を変位させる位相変位手段を備えた構成を有している。
【００１２】
この構成により、同期信号発生装置の出力側のシステムの構成に依存する同期信号や映像信号の内部遅延に応じた内部同期信号を生成することができる。
【００１３】
また、本発明の同期信号発生装置は、前記初期化手段による初期化は、前記外部同期信号と前記内部同期信号との位相差が予め定められた誤差範囲より大きくなった場合に行われるようにした構成を有している。
【００１４】
この構成により、外部同期信号と内部同期信号との位相差が大きくなったことが検出されると初期化手段による初期化が行われるため、外部からの影響等により外部同期信号と同期がとれなくなった内部同期信号を外部同期信号に同期させるための時間を短縮することができる。
【００１５】
また、本発明の同期信号発生装置は、前記誤差範囲が設定される誤差範囲設定手段を備えた構成を有している。
【００１６】
この構成により、発振器の特性や同期信号発生装置を利用したシステムの仕様に応じて誤差範囲を設定することができる。
【００１７】
また、本発明の同期信号発生装置は、入力された複数の入力信号から１つの入力信号を選択する入力信号選択手段と、選択された入力信号から前記外部同期信号を分離する外部同期信号分離手段とを備えた構成を有している。
【００１８】
この構成により、複数のカメラによって撮像されて得られた映像信号を切り替えて処理するシステムに適用することができる。
【００１９】
また、本発明の同期信号発生装置は、前記位相差信号生成手段は、前記外部同期信号の入力がないときであっても、前記内部同期信号生成手段が作動するよう前記位相差信号を生成するようにした構成を有している。
【００２０】
この構成により、外部同期信号の入力がなかった場合でも自走することができるので、外部同期信号の入力がなかったことによる誤動作を防止することができる。
【００２１】
また、本発明の同期信号発生装置は、前記初期化手段を作動させるか否かが選択される初期化作動選択手段を備えた構成を有している。
【００２２】
この構成により、不正規な外部同期信号が入力されたような場合にも、誤動作せずに外部同期信号に同期させた内部同期信号を発生することができる。
【００２３】
また、本発明の同期信号発生装置は、前記入力信号選択手段で入力された信号に基づいて、前記初期化手段を作動させるか否かを選択するようにした構成を有している。
【００２４】
この構成により、入力信号の切り替え時には内部同期信号を外部同期信号に同期させるための時間を短縮することができ、入力信号の切り替えを行わない時には不正規な外部同期信号が入力されたような場合にも誤動作によって初期化手段が作動しないようにすることができる。
【００２５】
また、本発明の同期信号発生装置は、前記発振器は、電圧制御水晶発振器を有している。
【００２６】
この構成により、電圧制御水晶発振器は、インダクタンス（Ｌ）とキャパシタンス（Ｃ）とによって構成されたＬＣ発振器と比較して周波数の可変幅が狭いため、複合映像信号を取り扱う映像信号処理装置に適用した場合に、発振器の出力するクロックの精度を複合映像信号の色信号の変復調に必要な精度に高めることができる。
【００２７】
また、本発明の同期信号発生装置は、前記初期化手段によって前記内部同期信号生成手段が初期化された場合には、前記内部同期信号生成手段による内部同期信号の生成は、前記内部同期信号の位相が前記外部同期信号の位相に対して予め定められた時間遅れるように行われる構成を有している。
【００２８】
この構成により、外部同期信号に同期する直前の位相で内部同期信号を発生することができるため、発生する内部同期信号を外部同期信号に同期させるための時間を短縮することができる。
【００２９】
また、本発明の映像信号処理装置は、請求項１乃至請求項１１の何れかに記載の同期信号発生装置を備え、前記同期信号発生装置に入力される外部同期信号と前記同期信号発生装置によって発生された内部同期信号とを映像信号の水平同期信号とした構成を有している。
【００３０】
この構成により、発振器のクロック周期と比較して千倍以上の周期を有する水平同期信号に内部の水平同期信号を同期させるための時間を短縮することができる。
【００３１】
また、本発明の車両は、映像信号処理装置を備えた構成を有している。
【００３２】
この構成により、車両の複数の死角を撮像するように設置されたカメラによって撮像された映像信号に基づいた映像を車両の運転者が切り替えて確認することができるため、映像の切り替えにかかる時間が短縮することができ、運転の安全性を向上することができる。
【００３３】
また、本発明の同期信号発生方法は、クロック信号から内部同期信号を生成する内部同期信号生成手段と、入力された外部同期信号と前記内部同期信号との位相差を表す位相差信号を生成する位相差信号生成手段と、前記位相差信号に応じた周波数の前記クロック信号を生成する発振器とを備えた同期信号発生装置において、前記外部同期信号に基づいて前記内部同期信号生成手段を初期化する。
【００３４】
この方法により、内部同期信号を生成する内部同期信号生成手段を外部同期信号に基づいて初期化することによって内部同期信号の位相を外部同期信号の位相に瞬時に合わせることができるため、同期信号発生装置によって発生される内部同期信号を外部同期信号に同期させるための時間を短縮することができる。
【００３５】
また、本発明の同期信号発生方法は、前記外部同期信号に基づいて前記位相差信号生成手段を初期化する。
【００３６】
この方法により、内部同期信号を生成する内部同期信号生成手段と位相差信号を生成する位相差信号生成手段とを外部同期信号に基づいて初期化することによって内部同期信号の位相を外部同期信号の位相に瞬時に合わせることができるため、同期信号発生装置によって発生される内部同期信号を外部同期信号に同期させるための時間を短縮することができる。
【００３７】
また、本発明の同期信号発生方法は、クロック信号から内部同期信号を生成する内部同期信号生成手段と、入力された外部同期信号と前記内部同期信号との位相差を表す位相差信号を生成する位相差信号生成手段と、前記位相差信号に応じた周波数の前記クロック信号を生成する発振器とを備えた同期信号発生装置において、前記外部同期信号に基づいて前記位相差信号生成手段を初期化する。
【００３８】
この方法により、位相差信号を生成する位相差信号生成手段を外部同期信号に基づいて初期化するため、同期信号発生装置によって発生される内部同期信号を外部同期信号に同期させるための時間を短縮することができる。
【発明の効果】
【００３９】
本発明は、内部同期信号を生成する内部同期信号生成手段を外部同期信号に基づいて初期化する初期化手段を設けることにより、発生する内部同期信号を外部同期信号に同期させるための時間を従来の同期信号発生装置および映像信号処理装置に対して短縮することができる同期信号発生装置および映像信号処理装置を提供することができるものである。
【発明を実施するための最良の形態】
【００４０】
以下、本発明の実施の形態について、図面を参照して説明する。
【００４１】
本発明の一実施の形態の同期信号発生装置を図１に示す。
【００４２】
なお、本発明の一実施の形態の同期信号発生装置１は、複数のカメラによって撮像されて得られた映像信号を以って車両内部のモニタ装置に画像を出力するよう映像信号を処理する映像信号処理装置に備えられており、映像信号処理装置は、車両に備えられている。
【００４３】
同期信号発生装置１は、複数の映像信号から１つの映像信号を選択する入力信号選択手段２と、選択された映像信号から外部同期信号を分離する外部同期信号分離手段３と、クロック信号から内部同期信号を生成する内部同期信号生成手段４と、外部同期信号と内部同期信号との位相差を表す位相差信号を生成する位相差信号生成手段５と、位相差信号に応じた周波数のクロック信号を生成する発振器６とを備えている。
【００４４】
本実施形態において、外部同期信号は、映像信号処理装置に入力された映像信号の水平同期信号であり、内部同期信号は、映像信号処理装置の出力側において使用される映像信号の水平同期信号である。
【００４５】
入力信号選択手段２には、複数のカメラによって撮像されて得られた映像信号が入力されるようになっており、入力信号選択手段２は、映像信号処理装置の入力装置を介した入力等に応じて１つの映像信号を選択するようになっている。
【００４６】
内部同期信号生成手段４は、クロック信号のクロック数を計数するカウンタ２０と、カウンタ２０による計数が所定の値になったときに内部同期信号をローレベルの状態にし、一定時刻が経過した後にハイレベルの状態にする内部同期信号生成部２１とを有している。
【００４７】
なお、以下の説明において信号の状態を示す場合には、ハイレベルの状態を単に「'Ｈ'」と記載し、ローレベルの状態を単に「'Ｌ'」と記載し、高インピーダンス状態を単に「'Ｚ'」と記載する。
【００４８】
本実施形態においては、カウンタ２０は、入力されたクロック信号のクロックを０から６０５の範囲で繰り返し計数するようになっており、内部同期信号生成部２１は、カウンタ２０による計数の値が０になったときに内部同期信号を'Ｌ'にするようになっている。
【００４９】
なお、本発明においては、カウンタ２０によって繰り返し計数される範囲は、クロック信号の周波数や対応する映像信号の水平画素数などに応じて設定される。また、対応する映像信号の画素数等の自由度を高めるよう、内部同期信号生成部２１は、カウンタ２０によって繰り返し計数される範囲を変更できるようにしてもよい。
【００５０】
位相差信号生成手段５は、外部同期信号分離手段３によって分離された外部同期信号と内部同期信号生成手段４によって生成された内部同期信号との位相差に応じた誤差信号を生成する位相比較器２２と、位相比較器２２によって生成された誤差信号を位相差信号に平滑化するローパスフィルタ２３とを有する。
【００５１】
位相比較器２２によって生成される誤差信号は、外部同期信号および内部同期信号の一方が、先に'Ｌ'になった場合には、'Ｈ'または'Ｌ'になり、外部同期信号および内部同期信号の双方が、'Ｌ'になった場合には、'Ｚ'になる。
【００５２】
なお、本実施形態においては、外部同期信号が先に'Ｌ'になった場合には、誤差信号が'Ｈ'になり、内部同期信号が先に'Ｌ'になった場合には、誤差信号が'Ｌ'になるよう、位相比較器２２には外部同期信号および内部同期信号が入力されるようになっているものとする。
【００５３】
また、位相差信号生成手段５は、外部同期信号の入力がないときであっても、内部同期信号生成手段４が作動するよう位相差信号を生成するようになっている。具体的には、位相比較器２２は、外部同期信号の入力がないことを検知した場合には、誤差信号を'Ｚ'にするようになっている。
【００５４】
発振器６は、電圧制御水晶発振器を有しており、ローパスフィルタ２３によって平滑化された位相差信号の電圧に応じた周波数のクロック信号を生成し、生成したクロック信号をカウンタ２０に出力するようになっている。なお、発振器６は、ＬＣ発振器など他の発振器によって構成してもよい。
【００５５】
以上に説明した入力信号選択手段２と、外部同期信号分離手段３と、内部同期信号生成手段４と、位相差信号生成手段５と、発振器６とを以って、同期信号発生装置１は、外部から入力された映像信号に同期させた内部同期信号およびクロック信号を発生することができる。
【００５６】
また、同期信号発生装置１は、外部同期信号に基づいて内部同期信号生成手段４および位相差信号生成手段５を初期化する初期化手段７と、初期化手段７を作動させるか否かが選択される初期化作動選択手段８とをさらに備えている。
【００５７】
初期化手段７は、外部同期信号と内部同期信号との位相差が予め定められた誤差範囲より大きくなったか否かを判断する同期信号判断部２４と、同期信号判断部２４の判断結果に基づいて内部同期信号生成手段４を初期化する同期信号初期化部２５と、同期信号判断部２４の判断結果に基づいて位相差信号生成手段５を初期化する位相差信号初期化部２６と、を有している。
【００５８】
同期信号判断部２４は、外部同期信号と内部同期信号との位相差が誤差範囲より大きくなったと判断した場合には、外部同期信号に基づいて同期信号初期化部２５および位相差信号初期化部２６に初期化信号を出力させるようになっている。
【００５９】
具体的には、同期信号判断部２４は、外部同期信号と内部同期信号との位相差が誤差範囲より大きくなったと判断した場合に、初期化手段７を作動させると初期化作動選択手段８によって選択され、かつ、外部同期信号が'Ｌ'になったときに内部同期信号生成手段４を初期化する同期初期化信号を同期信号初期化部２５に出力させるようになっている。
【００６０】
同期信号初期化部２５によって出力された初期化信号を受けた内部同期信号生成手段４のカウンタ２０は、計数の値を所定の初期値にリセットするようになっている。ここで、カウンタ２０がリセットされる初期値は、内部同期信号の位相が外部同期信号の位相に対して予め定められた時間、好ましくは発振器６の１周期以内の時間遅れるよう決められ、本実施形態においては、６０１である。
【００６１】
なお、図１に示すように、同期信号発生装置１は、カウンタ２０による計数の値がリセットされた際に設定される初期値を変更する初期値変更手段９をさらに備えるようにしてもよい。これにより映像信号の特性に応じた初期値を選択することができる。
【００６２】
同期信号判断部２４は、外部同期信号と内部同期信号との位相差が誤差範囲より大きくなったと判断した場合に、初期化手段７を作動させると初期化作動選択手段８によって選択され、かつ、外部同期信号が内部同期信号と同じレベルになったときに位相差信号生成手段５を初期化する位相差初期化信号を位相差信号初期化部２６に出力させるようになっている。
【００６３】
また、同期信号発生装置１は、初期化手段７の同期信号判断部２４によって参照される誤差範囲が設定される誤差範囲設定手段１０と、内部同期信号の位相を変位させる位相変位手段１１とをさらに備えている。
【００６４】
なお、初期化作動選択手段８、初期値変更手段９、誤差範囲設定手段１０、および位相変位手段１１は、初期化手段７を作動させるか否かの設定値、カウンタ２０による計数の値がリセットされた際に設定される初期値、初期化手段７の同期信号判断部２４によって参照される誤差範囲、および内部同期信号の位相を変位させる時間の各値を映像信号処理装置が有する中央処理装置に設けられたレジスタからそれぞれ取得するようにしてもよい。
【００６５】
以上のように構成された同期信号発生装置１について、図２を用いてその動作を説明する。図２は、同期信号発生装置１の動作の説明のためのタイミング図である。
【００６６】
なお、図１において、ｓ２は、位相差初期化信号を示し、ｓ３は、初期化手段７の同期信号判断部２４に入力される外部同期信号を示し、ｓ４は、同期初期化信号を示し、ｓ５は、内部同期信号生成手段４のカウンタ２０の計数値を表す信号を示し、ｓ６は、初期化手段７の同期信号判断部２４に入力される内部同期信号を示し、ｓ７は、位相差信号生成手段５の位相比較器２２によって生成される誤差信号を示しており、図２において付した符号ｓ２乃至ｓ７とそれぞれ対応している。また、図２において、ｓ１は、初期化手段７の同期信号判断部２４による判断結果を表す信号を示しており、誤差信号ｓ７がとる高インピーダンス状態は、破線で示した。
【００６７】
図２は、時刻Ｔ１で外部同期信号ｓ３と内部同期信号ｓ６との位相差が誤差範囲より大きくなったと初期化手段７の同期信号判断部２４によって判断された場合のタイミング図を示している。
【００６８】
まず、外部同期信号ｓ３と内部同期信号ｓ６との位相差が誤差範囲より大きくなったと初期化手段７の同期信号判断部２４によって判断され、外部同期信号ｓ３が内部同期信号ｓ６と同じレベルである場合には、位相差初期化信号ｓ２が初期化手段７の位相差信号初期化部２６によって出力され、位相差信号生成手段５が初期化され、位相差信号生成手段５の位相比較器２２によって生成される誤差信号ｓ７が'Ｚ'になる（時刻Ｔ１）。
【００６９】
次に、外部同期信号ｓ３が'Ｌ'になると、同期初期化信号ｓ４が初期化手段７の同期信号初期化部２５によって出力され、内部同期信号生成手段４のカウンタ２０が６０１に初期化され、位相差信号生成手段５の位相比較器２２によって生成される誤差信号ｓ７が'Ｈ'になる（時刻Ｔ２）。
【００７０】
なお、初期化手段７は、内部同期信号生成手段４および位相差信号生成手段５の初期化時に内部同期信号ｓ６の挙動が乱れないよう、外部同期信号ｓ３と内部同期信号ｓ６との位相差が誤差範囲より大きくなったと初期化手段７の同期信号判断部２４によって判断されてから、初期化手段７の同期信号判断部２４に入力される外部同期信号ｓ３が'Ｌ'になった時刻Ｔ２より後に外部同期信号ｓ３の１周期より短い所定の時間が経過するまでは、内部同期信号ｓ６の入力をマスクするようになっている。
【００７１】
次に、内部同期信号生成手段４のカウンタ２０による計数の値が０になったとき、内部同期信号ｓ６が'Ｌ'になり、位相差信号生成手段５の位相比較器２２によって生成される誤差信号ｓ７が'Ｚ'になる（時刻Ｔ３）。
【００７２】
次に、外部同期信号ｓ３が'Ｌ'になったとき、位相差信号生成手段５の位相比較器２２によって生成される誤差信号ｓ７が'Ｈ'になり（時刻Ｔ４）、内部同期信号ｓ６が'Ｌ'になったとき、位相差信号生成手段５の位相比較器２２によって生成される誤差信号ｓ７が'Ｚ'になる（時刻Ｔ５）。
【００７３】
以上に説明した同期信号発生装置１の動作によって、誤差信号ｓ７が'Ｚ'にならない時間、すなわち外部同期信号ｓ３と内部同期信号ｓ６との位相差が、時刻Ｔ４から時刻Ｔ５までの間と僅かなものとなるため、内部同期信号ｓ６を外部同期信号ｓ３に同期させるための時間を短縮することができる。
【００７４】
同期信号発生装置１において、初期化手段７による内部同期信号生成手段４および位相差信号生成手段５の初期化は、同期信号判断部２４による判断結果に基づいて行われるようにしたが、初期化作動選択手段８によって初期化手段７を作動させると選択された際に行われるようにしてもよい。
【００７５】
また、初期化作動選択手段８は、初期化手段７を作動きせるか否かの設定値を、入力信号選択手段２で入力を切り替えるタイミングに応じて設定されるようにしてもよい。具体的には、初期化作動選択手段８は、通常は初期化手段７を作動させない設定値としておき、入力信号選択手段２によって入力を切り替える直前に初期化手段７を作動きせる設定値に変更し、内部同期信号が入力信号選択手段２によって切り替えた入力から得られた外部同期信号に同期した後に初期化手段７を作動させない設定値に戻すようにすることができる。これにより、入力信号の切り替え時には内部同期信号を外部同期信号に同期させるための時間を短縮することができ、入力信号の切り替えを行わない時には不正規な外部同期信号が入力されたような場合にも誤動作によって初期化手段７が作動しないようにすることができる。
【００７６】
このような本発明の一実施の形態の同期信号発生装置１および同期信号発生装置１を有する映像信号処理装置によれば、内部同期信号を生成する内部同期信号生成手段４と、位相差信号を生成する位相差信号生成手段５とを外部同期信号に基づいて初期化する初期化手段７を設けることにより、内部同期信号の位相を外部同期信号の位相に瞬時に合わせることができ、発生する内部同期信号を外部同期信号に同期させるための時間を従来の同期信号発生装置および映像信号処理装置に対して短縮することができる。
【産業上の利用可能性】
【００７７】
以上のように、本発明にかかる同期信号発生装置および映像信号処理装置は、内部同期信号を生成する内部同期信号生成手段を外部同期信号に基づいて初期化する初期化手段を設けることにより、発生する内部同期信号を外部同期信号に同期させるための時間を従来の同期信号発生装置および映像信号処理装置に対して短縮することができるという効果を有し、外部から入力された信号に同期させた信号を発生する同期信号発生装置および映像信号処理装置等として有用である。
【図面の簡単な説明】
【００７８】
【図１】本発明の一実施の形態における同期信号発生装置のブロック図
【図２】本発明の一実施の形態における同期信号発生装置の動作説明のためのフロー図
【図３】従来の同期信号発生装置のブロック図
【符号の説明】
【００７９】
１  同期信号発生装置
２  入力信号選択手段
３  外部同期信号分離手段
４、５０  内部同期信号生成手段
５、５１  位相差信号生成手段
６、５２  発振器
７  初期化手段
８  初期化作動選択手段
９  初期値変更手段
１０  誤差範囲設定手段
１１  位相変位手段
２０  カウンタ
２１  内部同期信号生成部
２２  位相比較器
２３  ローパスフィルタ
２４  同期信号判断部
２５  同期信号初期化部
２６  位相差信号初期化部
ｓ１  初期化手段の同期信号判断部による判断結果
ｓ２  位相差初期化信号
ｓ３  外部同期信号
ｓ４  同期初期化信号
ｓ５  カウンタの計数値を表す信号
ｓ６  内部同期信号
ｓ７  誤差信号
【図１】
2005217638.tif 000003
【図２】
2005217638.tif 000004
【図３】
2005217638.tif 000005